(57)【要約】【課題】  壁面での温度変化によって植物の生育が阻害されることを抑えることができる壁面緑化ユニットを提供すること。【解決手段】  壁面６に取り付けられる基板２と、該基板２の表面側に配置される断熱層３と、断熱層３の表面側に配置される植栽マット４と、を有する壁面緑化ユニットである。植栽マット４が枠体５で保持され、枠体５を基板２に取り付けることにより、植栽マット４および断熱層３が基板２に取り付けられる。断熱層が発泡プラスチックにて形成されている。【選択図】  図１
2006246816.tif 000002
【特許請求の範囲】
【請求項１】
壁面に取り付けられる基板と、該基板の表面側に配置される断熱層と、該断熱層の表面側に配置される植栽マットと、を有し、該植栽マットが枠体で保持され、該枠体を該基板に取り付けることにより、植栽マットおよび断熱層が基板に取り付けられている壁面緑化ユニット。
【請求項２】
前記断熱層が、発泡プラスチックにて形成されている請求項１に記載の壁面緑化ユニット。
【請求項３】
前記植栽マットが、ロックウールにて形成されている請求項１又は２に記載の壁面緑化ユニット。
【請求項４】
前記植栽マットは不織布及び／又は織布からなる保温シートにより覆われている請求項１〜３のいずれかの項に記載の壁面緑化ユニット。
【請求項５】
前記枠体がプラスチック製枠であり、該枠体がボルトナットにより前記基板に取り外し自在に取り付けられている請求項１〜４のいずれかの項に記載の壁面緑化ユニット。
【請求項６】
前記植栽マットに植物が生育されている請求項１〜５のいずれかの項に記載の壁面緑化ユニット。
【発明の詳細な説明】
【技術分野】
【０００１】
本発明は、道路の遮音壁や駐車場の壁面パネルなどのような構造物の壁面を緑化する壁面緑化ユニットに関する。
【背景技術】
【０００２】
道路の遮音壁や駐車場の壁面パネルなどのようなコンクリート構造物や鋼板製壁材は景観を損ねるだけでなく、太陽光線を照り返して環境を悪化させる原因になっている。そこで、これらの構造物の壁面を緑化する技術が注目されている。
【０００３】
駐車場の壁面パネルや建物の該壁面を緑化する場合、プランター、フラワーポットを取付金具などにより壁面に取り付けることが行われている。しかし、このような方法では、取り扱いが不便であると共に、雨による土壌の流出が生じたり、また風などによって転倒する恐れがあって安全上好ましくない。
【０００４】
そこで、従来では、例えば、特開平７−２７４７２９号公報（特許文献１）、
特開平５−３２８８５７号公報（特許文献２）、特開２００４−５７１２２号公報（特許文献３）では、壁面に取り付ける取付枠に、植栽スペースを設け、この植栽スペース内に、植栽用の土壌、繊維などを充填した植栽ユニットが提案されている。
【０００５】
しかし、これらの植栽ユニットは、取り扱いは便利ではあるが、壁面での温度変化によって植物の生育が阻害される場合があり、また製造が簡単で壁面に簡単に取付できる点でさらなる改良の余地があった。
【特許文献１】特開平７−２７４７２９号公報
【特許文献２】特開平５−３２８８５７号公報
【特許文献３】特開２００４−５７１２２号公報
【発明の開示】
【発明が解決しようとする課題】
【０００６】
本発明は、壁面での温度変化によって植物の生育が阻害されることを抑えることができる壁面緑化ユニットを提供することを目的とする。本発明の他の目的は、製造が簡単で壁面に簡単に取付できる壁面緑化ユニットを提供することにある。
【課題を解決するための手段】
【０００７】
本発明の壁面緑化ユニットは、壁面に取り付けられる基板と、該基板の表面側に配置される断熱層と、該断熱層の表面側に配置される植栽マットと、を有し、該植栽マットが枠体で保持され、該枠体を該基板に取り付けることにより、植栽マットおよび断熱層が基板に取り付けられており、そのことにより上記目的が達成される。
【０００８】
一つの実施形態では、前記断熱層が、発泡プラスチックにて形成されている。
【０００９】
一つの実施形態では、前記植栽マットが、ロックウールにて形成されている。
【００１０】
一つの実施形態では、前記植栽マットは不織布及び／又は織布からなる保温シートにより覆われている。
【００１１】
一つの実施形態では、前記枠体がプラスチック製枠であり、該枠体がボルトナットにより前記基板に取り外し自在に取り付けられている。
【００１２】
一つの実施形態では、前記植栽マットに植物が生育されている。
【発明の効果】
【００１３】
本発明の壁面緑化ユニットにおいては、壁面に取り付けられる基板と植物が植えられる植栽マットとの間に断熱層が配置されていることにより、壁面と植栽マットとを断熱し、植物の根に壁面からの熱、あるいは冷熱が伝達することを抑止し、そのため本発明の壁面緑化ユニットが鋼板製やコンクリートの壁面に取り付けられるような場合であっても、植物を良好に生育させることができる。
【００１４】
また、植栽マットが枠体で保持され、該枠体を該基板に取り付けることにより、植栽マットおよび断熱層が基板に取り付けられるようにしたので、植物が植えられた植栽マットの取付や交換が容易に行える。また、各部材が軽量であるので、移動や施工性にも優れている。
【発明を実施するための最良の形態】
【００１５】
以下に本発明の実施の形態を具体的に説明する。
【００１６】
図１〜図４に示すように、本実施形態の壁面緑化ユニット１は、壁面６に取り付けられる基板２と、該基板２の表面側に取り付けられる断熱層３と、該断熱層３の表面側に取り付けられる植栽マット４と、を有する。
【００１７】
本発明でいう壁面６としては、限定するものではないが、例えば、駐車場の壁面パネル、道路の遮音壁、建物の壁面などが採用できる。
【００１８】
基板２としては、鉄板等の金属製板材、プラスチック製板材を使用できる。
【００１９】
断熱層３としては、発泡ポリスチレン、発泡ポリウレタンなどの発泡プラスチックを使用するのが好ましい、
この断熱層３の表面は樹脂モルタルなどで被覆して強度を高めておくのが良い。
【００２０】
植栽マット４としては、ロックウールなどの鉱物繊維、ガラス繊維、植物繊維、その他の繊維を使用することができる。この植栽マット４内で植物の根が生育することになる。特に、繊維状マット４を使用することにより、常に水分を内部に保つことができるので、冬場等で植栽マット４が凍りにくくできる。
【００２１】
植栽マット４は不織布、織布などの保温シート４ａにより周囲全体を覆っておくのが好ましい。この保温シート４ａで植栽マット４を被覆することにより、植栽マット４で成育する植物を押えることができる。また、本発明の緑化ユニット１の生産や現場での施工性を考えると、移動性や管理が容易になる。
【００２２】
この植栽マット４は、枠体５で覆われて保持されている。枠体５としては、プラスチック製のもの又は金属製のものを使用できるが、軽量化を考慮するとプラスチック製枠体５が良い。また防火を考慮すると、金属製の枠体も使用してもよい。金属製枠を使用する場合は、断熱層としてスチロールを使用すると自己鎮火性であるので、防火性に優れたユニットを提供できる。
【００２３】
そして、この枠体５が植栽マット４を内部に保持した状態で、断熱層３とともに基板２に取り付けられている。
【００２４】
枠体５、植栽マット４および断熱層３を基板２に取り付けるには、図２に示すように、基板２の適所にボルトを溶接しておき、断熱層３および植栽マット４にこのボルトを貫通する通孔を設け、枠体５の外側からボルトのネジにナット９で締め付けることにより、植栽マット４および断熱層３を枠体５で挟む状態で基板２に取り付けるようするのが良い。
【００２５】
断熱層３の基板２側を除く表面には樹脂モルタルなどの表面強化層がコーティングしてあるために、断熱層３が表面に露出することがなく、樹脂モルタルによって紫外線から断熱層３を保護し、また断熱層３の外表面の強度を高めると共に意匠効果を高めることもできる。
【００２６】
例えば、断熱層３の露出面積を植栽マット４よりも大きく形成する場合では、図７および８に示すように、樹脂モルタル７にて義岩調に造形することもできる。
【００２７】
このように植栽マット４と基板２との間に断熱層３を配置することにより、壁面６からの熱が植栽マット４の植物に影響することを抑えることができる。また、本発明の緑化ユニット１が建物の壁面６に取り付けられる場合には、外部の熱あるいは冷熱が壁面６を通して室内へ伝達することを防止できる効果もある。
【００２８】
植栽マット４には、予め植物が植えられており、本発明の緑化ユニット１を、上記のように壁面６に取り付けるだけで、簡単に壁面６の緑化が行える。緑化ユニット１を壁面６に取り付けるには、アンカーによって壁面６に固定してもよく、あるいは壁面６に（例えば、壁面パネルにような場合には）、ボルト孔等を設けておき、ボルト、ナットにより固定してもよい。
【００２９】
植栽マット４は基板２に取り外し自在に取り付けられているので、植物の種類を変える場合には、植栽マット４を基板２から取り外して、新たな植物が植えられた植栽マット４を基板２に取り付ければよい。この場合、枠体５と植栽マット４とを同時に取り外してもよく、あるいは植栽マット４のみを交換してもよい。通常は、枠体５と植栽マット４とを取り外し、新しい植物が植えられた植栽マット４付きの枠体５を基板２に取り付ける。
【００３０】
また、植栽マット４に潅水が供給できるように潅水チューブを緑化ユニット１に設けてもよい。この灌水は、コンピュータによって管理することもできる。
【００３１】
上記した各部材の寸法は限定するものではないが、植栽マット４では、長さ：約５０ｃｍ、幅：約２０ｃｍｍ、高さ：６〜７ｃｍとすることができる。発泡スチロールなどの断熱層３では、長さ：約５０〜６０ｃｍ、幅：約２０ｃｍｍ、高さ：約１０〜３０ｃｍとすることができる。また枠体５の寸法も、上記植栽マット４を覆う必要があるために、植栽マット４の寸法よりやや大きい寸法とするのがよい。
【００３２】
なお、図７および８は断熱層３のサイズを植栽マット４よりも大きく形成し、断熱層３の表面に塗装した樹脂モルタル７にて形成した塗装物を形成したものである。
【図面の簡単な説明】
【００３３】
【図１】図１は本発明の一実施形態の壁面緑化ユニットの分解斜視図である。
【図２】図２は図１に示す壁面緑化ユニットの断面図である。
【図３】図３は図１に示す壁面緑化ユニットの概略説明図である。
【図４】図４は図１に示す壁面緑化ユニットで使用する枠体および植栽マットの概略図である。
【図５】図５は図４に示す枠体および植栽マットの概略断面図である。
【図６】図６は基板への枠体の取り付けを示す概略図である。
【図７】図７は本発明の他の実施形態の壁面緑化ユニットの斜視図である。
【図８】図８は図７に示す壁面緑化ユニットの断面図である。
【符号の説明】
【００３４】
１    壁面緑化ユニット
２    基板
３    断熱層
４    植栽マット
５    枠体
６    壁面
【図１】
2006246816.tif 000003
【図２】
2006246816.tif 000004
【図３】
2006246816.tif 000005
【図４】
2006246816.tif 000006
【図５】
2006246816.tif 000007
【図６】
2006246816.tif 000008
【図７】
2006246816.tif 000009
【図８】
2006246816.tif 000010